(57)【要約】【課題】スクリーンの下端にウェイトバーを容易に取付け得るとともに、美観を損ねることのないロールブラインドのウェイトバー取付装置を提供する。【解決手段】スクリーン３の両側に配設したガイドレールでスクリーン３の両側縁部を昇降可能に支持し、スクリーン３の下縁にウェイトバー６を吊下支持したロールブラインドにおいて、スクリーン３の下縁に取付ファスナー７を取着し、該取付ファスナー７の歯部７ａをウェイトバー６に設けた凹条８に挿通することにより、スクリーン３の下縁にウェイトバー６を吊下支持した。【選択図】        図２
2004211300.tif 000002
【特許請求の範囲】
【請求項１】
スクリーンの両側に配設したガイドレールでスクリーンの両側縁部を昇降可能に支持し、前記スクリーンの下縁にウェイトバーを吊下支持したロールブラインドにおいて、
前記スクリーンの下縁に取付ファスナーを取着し、該取付ファスナーの歯部をウェイトバーに設けた凹条に挿通することにより、前記スクリーンの下縁にウェイトバーを吊下支持したことを特徴とするロールブラインドのウェイトバー取付装置。
【請求項２】
前記凹条をウェイトバーの上面に設けたことを特徴とする請求項１記載のロールブラインドのウェイトバー取付装置。
【請求項３】
前記スクリーンの両側縁部にガイドファスナーを取着し、該ガイドファスナーを前記ガイドレールで昇降可能に支持し、前記ガイドファスナーの下端部を前記ウェイトバーに取着したことを特徴とする請求項１又は２記載のロールブラインドのウェイトバー取付装置。
【請求項４】
前記ウェイトバーの両端部にキャップを取着し、該キャップで前記ガイドファスナーの下端部を挟着支持したことを特徴とする請求項３記載のロールブラインドのウェイトバー取付装置。
【請求項５】
前記キャップは、前記ウェイトバーの側端面にネジで固定したことを特徴とする請求項４記載のロールブラインドのウェイトバー取付装置。
【発明の詳細な説明】
【０００１】
【発明の属する技術分野】
この発明は、スクリーンの両側部をガイドレールで案内するロールブラインドのウェイトバー取付装置に関するものである。
【０００２】
【従来の技術】
ロールブラインドの一種類として、巻取軸から垂下されるスクリーンの両側部をガイドレールで案内しながら昇降するようにしたものがある。
【０００３】
このようなロールブラインドでは、スクリーンの下端にウェイトバーを吊下支持し、そのウェイトバーの両端をガイドレールで昇降可能に支持する必要がある。特許文献１では、巻込式スクリーンにおける下框の取付装置が開示されている。
【０００４】
【特許文献１】
実開昭６２−１１３９６
【０００５】
【発明が解決しようとする課題】
特許文献１では、下框を２分割し、各分割体の間にスクリーンを挟んだ状態でビス止めすることにより、下框がスクリーンの下端に取着される。
【０００６】
従って、ビス止め作業を必要とするとともに、下框の正面側にビスが露出するため、そのビスを隠す目隠し部材を取付ける必要があり、下框の取付作業が煩雑となる。また、目隠し部材により、下框の美観を損ねるという問題点もある。
【０００７】
この発明の目的は、スクリーンの下端にウェイトバーを容易に取付け得るとともに、美観を損ねることのないロールブラインドのウェイトバー取付装置を提供することにある。
【０００８】
【課題を解決するための手段】
請求項１では、スクリーンの両側に配設したガイドレールでスクリーンの両側縁部を昇降可能に支持し、前記スクリーンの下縁にウェイトバーを吊下支持したロールブラインドにおいて、前記スクリーンの下縁に取付ファスナーを取着し、該取付ファスナーの歯部をウェイトバーに設けた凹条に挿通することにより、前記スクリーンの下縁にウェイトバーを吊下支持した。
【０００９】
請求項２では、前記凹条をウェイトバーの上面に設けた。
請求項３では、前記スクリーンの両側縁部にガイドファスナーを取着し、該ガイドファスナーを前記ガイドレールで昇降可能に支持し、前記ガイドファスナーの下端部を前記ウェイトバーに取着した。
【００１０】
請求項４では、前記ウェイトバーの両端部にキャップを取着し、該キャップで前記ガイドファスナーの下端部を挟着支持した。
請求項５では、前記キャップは、前記ウェイトバーの側端面にネジで固定した。
【００１１】
【発明の実施の形態】
以下、この発明を具体化した一実施の形態を図面に従って説明する。図１に示す電動ロールブラインドは、巻取軸１の両端が支持ブラケット２に回転可能に支持され、その巻取軸１からスクリーン３が昇降可能に吊下支持される。
【００１２】
前記スクリーン３の両側縁部は、押し出し形材で形成されたガイドレール４に上下動可能に支持される。従って、巻取軸１の回転にともなって、スクリーン３がガイドレール４に沿って昇降される。
【００１３】
図３に示すように、前記スクリーン３の両側縁にはガイドファスナー５が縫着され、そのガイドファスナー５が前記ガイドレール４に上下動可能に支持される。
【００１４】
前記スクリーン３の下端にはウェイトバー６が吊下支持され、そのウェイトバー６の両端も前記ガイドレール４に上下動可能に支持される。そのウェイトバー取付装置の詳細な構成を説明する。
【００１５】
図２に示すように、前記スクリーン３の下縁には取付ファスナー７が縫着されている。前記ウェイトバー６は押し出し形材で形成され、その上面の幅方向中央には凹条８が形成されている。
【００１６】
前記凹条８は、その開口部の幅が底部の幅より小さく形成されている。そして、取付ファスナー７の歯部７ａをウェイトバー６の長手方向の一端から凹条８に挿通すると、ウェイトバー６がスクリーン３の下端に吊下支持されるようになっている。
【００１７】
前記ウェイトバー６の両端部には、キャップ９がそれぞれ取着される。前記キャップ９は、それぞれ前部辺１０ａと後部辺１０ｂとを重ね合わせて構成される。
【００１８】
そして、図３に示すように、ウェイトバー６の両側まで垂下されるガイドファスナー５の布部５ｂが、後部辺１０ｂにネジ着される固定金具１１により、同後部辺１０ｂと固定金具１１との間に挟着固定される。
【００１９】
この状態で、図４に示すように前部辺１０ａ及び後部辺１０ｂが重ね合わされて、ウェイトバー６の端面に固定される。すなわち、図２に示すように、ウェイトバー６の内側面にリブ１２が形成され、そのリブ１２に前部辺１０ａ及び後部辺１０ｂがネジ１３で固定される。
【００２０】
このようにしてキャップ９がウェイトバー６の両端に取着されると、図５に示すように、そのキャップ９から両側に前記ガイドファスナー５が露出される。そして、このガイドファスナー５が前記ガイドレール４に上下動可能に支持される。
【００２１】
上記のように構成されたロールブラインドでは、次に示す作用効果を得ることができる。
（１）スクリーン３の下端に取着した取付ファスナー７でウェイトバー６を吊下支持することができる。従って、取付ファスナー７の歯部７ａを凹条８に挿通することにより、ウェイトバー６をスクリーン３の下端に容易に吊下支持することができる。
（２）ウェイトバー６の前面及び後面にネジが露出されることはない。従って、ウェイトバー６の美観を損ねることはない。
（３）ウェイトバー６の両端部にキャップ９を介してガイドファスナー５の下端部が取着される。従って、ウェイトバー６の両端をガイドレール４で確実に案内することができる。
（４）キャップ９を前部辺１０ａと後部辺１０ｂとに分割し、その前部辺１０ａと後部辺１０ｂとの間にガイドファスナー５を挟着する構成としたので、ガイドファスナー５をキャップ９で確実に支持することができる。
（５）キャップ９をウェイトバー６に取着するネジ１３は、ウェイトバー６の前面及び後面に露出されることはない。従って、ウェイトバー６の美観を損ねることはない。
【００２２】
上記実施の形態は、次に示すように変更することもできる。
・電動ロールブラインド以外のロールブラインドにも同様に実施することができる。
【００２３】
【発明の効果】
以上詳述したように、この発明はスクリーンの下端にウェイトバーを容易に取付け得るとともに、美観を損ねることのないロールブラインドのウェイトバー取付装置を提供することができる。
【図面の簡単な説明】
【図１】一実施の形態のロールブラインドを示す正面図である。
【図２】ウェイトバーを示す側面図である。
【図３】ウェイトバーの端部を示す正面図である。
【図４】キャップを示す側面図である。
【図５】ウェイトバーを示す斜視図である。
【符号の説明】
３          スクリーン
４          ガイドレール
６          ウェイトバー
７          取付ファスナー
７ａ        歯部
８          凹条
【図１】
2004211300.tif 000003
【図２】
2004211300.tif 000004
【図３】
2004211300.tif 000005
【図４】
2004211300.tif 000006
【図５】
2004211300.tif 000007